(57)【特許請求の範囲】
【請求項１】
洗浄水を温水タンクより圧送する給水手段と、該給水手段からの洗浄水が送給され洗浄時に所定位置まで延出して主に肛門部を洗浄する肛門洗浄手段と、同じく上記給水手段の洗浄水が送給され洗浄時に所定位置まで延出して主に女性部を洗浄するビデ洗浄手段と、放水される洗浄水の水勢に関する洗浄水状態が上記肛門洗浄手段よりソフト状態であり、上記給水手段と接続し洗浄時に所定位置まで延出して主に肛門部を洗浄する第３の洗浄手段と、上記肛門洗浄手段、上記ビデ洗浄手段及び上記第３の洗浄手段へ洗浄水を切替える切替手段とを具備し、上記洗浄手段はいずれも洗浄水が圧送されるシリンダと該シリンダに収納され復帰スプリングの付勢力で復帰し洗浄水の圧力で該復帰スプリングの付勢力に抗して延びる洗浄ノズルと該シリンダ内の洗浄水を該復帰スプリングの付勢力で上記温水タンクに戻す排水管とを有することを特徴とする洗浄便座装置。
【請求項２】
上記切替手段は、入口に上記給水手段の洗浄水が送給され、三つの出口を上記肛門洗浄手段、ビデ洗浄手段及び第３の洗浄手段に接続し、該入口から三つの出口に外部操作によって選択的に洗浄水を切替える３方切替えバルブで構成したことを特徴とする請求項１記載の洗浄便座装置。
【請求項３】
上記切替手段は、上記給水手段の洗浄水が送給され、上記給水手段の洗浄水を上記第３の洗浄手段へ送出する状態と別給水路に洗浄水を送出する状態とに切替える前段２方切替えバルブと、上記別給水路から洗浄水が送給され、上記肛門洗浄手段に洗浄水を送出する状態と上記ビデ洗浄手段に洗浄水を送出する状態とに切替える後段２方切替えバルブとから構成されたことを特徴とする請求項１記載の洗浄便座装置。
【発明の詳細な説明】
【０００１】
【産業上の利用分野】
本発明は、痔患者の局部に例えば水勢の弱い洗浄水を放出してソフト洗浄を可能とする洗浄便座装置に関する。
【０００２】
【従来の技術】
近時、便器上に設置して用便後に人体局部を水洗浄する洗浄便座装置が一般家庭へ普及の一途にある。
上記洗浄便座装置は、従来、主に肛門を洗浄する肛門洗浄手段と、主に女性部を洗浄するビデ洗浄手段とを備えている。それぞれの洗浄手段は、水道若しくは水ポンプの吐出口と水回路なし、洗浄時、例えば本体ケーシングの側部に設けられた操作部の選択操作によってシリンダ内のノズルが該シリンダの基端側にほぼ収納された退避位置と、同ノズルが便器開口の中央部に延出して洗浄を可能とする目的位置とにシリンダ内をシフトして使用する。
【０００３】
また、各洗浄手段は、水勢（流速）を数段階に調整できるようになっている。この水勢調整は、例えば肛門洗浄手段とビデ洗浄手段とに洗浄水を切替えるバルブに水量調整機能を付加している。
【０００４】
【発明が解決しようとする課題】
ところで、痔患者では、緩やかな水勢の洗浄水が局部に当たるソフト洗浄を好む。これに対し、一般者では、比較的強い水勢を好む。
しかも、痔患者と一般者とは、単純に水勢の差だけでなく、肛門に当たる水束面積に関しても、痔患者では水量感の点より広いことを好み、一般者ではそれほどの水量感は好まないものである。
【０００５】
このように痔患者と一般者とで、洗浄水状態の要求が異なっている実態に対し、従来の洗浄便座装置では、水勢調整機能をもつだけであり、両者にとって、相互に頻繁な水勢調整が強いられることとなり、操作に煩わしさを感じる上、痔患者にとっては水量感がないために最適な洗浄水状態に調整できないという問題がある。
【０００６】
肛門に当たる水束面積は、ノズルの先端に開設されるノズル孔の総面積（開度）によってのみ調整されるものであるため、痔患者と一般者とで該ノズル孔の開度を調整可能にすることは、ノズル先端に可変しぼり機構を設けなければならず、ノズル先端が極めて複雑となって実用的でない。
本発明は上記実情に鑑み、痔患者用に少なくとも水勢が一般者用の洗浄手段と異なる第３の洗浄手段を設けることにより、痔患者にも一般者にも操作を煩わせることなく、最適の洗浄水状態での使用を可能とする洗浄便座装置の提供を目的とする。
【０００７】
【課題を解決するための手段】
上記課題を解決した請求項１の洗浄便座装置は、洗浄水を温水タンクより圧送する給水手段と、該給水手段からの洗浄水が送給され洗浄時に所定位置まで延出して主に肛門部を洗浄する肛門洗浄手段と、同じく上記給水手段の洗浄水が送給され洗浄時に所定位置まで延出して主に女性部を洗浄するビデ洗浄手段と、放水される洗浄水の水勢及び水束に関する洗浄水状態が上記肛門洗浄手段よりソフト状態であり、上記給水手段と接続し洗浄時に所定位置まで延出して主に肛門部を洗浄する第３の洗浄手段と、上記肛門洗浄手段、上記ビデ洗浄手段及び上記第３の洗浄手段へ洗浄水を切替える切替手段とを具備し、
上記洗浄手段はいずれも洗浄水が圧送されるシリンダと該シリンダに収納され復帰スプリングの付勢力で復帰し洗浄水の圧力で該復帰スプリングの付勢力に抗して延びる洗浄ノズルと該シリンダ内の洗浄水を該復帰スプリングの付勢力で上記温水タンクに戻す排水管とを有することを特徴とする。
【０００８】
ここで、洗浄水の水勢に関する洗浄水状態を肛門洗浄手段よりソフト状態とする手段は、第３の洗浄手段への洗浄水の送給量を減じる手段若しくは第３の洗浄手段のノズル先端部分を流れる水路の径を通常の肛門洗浄手段より小さくする手段とノズル孔の開度を大きくする手段との組み合わせ、洗浄水を泡沫状態にする手段及びこれらを組み合わせた手段を含む。
【０００９】
請求項２の洗浄便座装置は、上記肛門洗浄手段、ビデ洗浄手段及び第３の洗浄手段へ洗浄水を切替える切替手段が、入口に上記給水手段の洗浄水が送給され、三つの出口を上記肛門洗浄手段、ビデ洗浄手段及び第３の洗浄手段に接続し、該入口から三つの出口に外部操作によって選択的に洗浄水を切替える３方切替えバルブで構成したことを特徴とする。
【００１０】
請求項３の洗浄便座装置は、上記切替手段が、上記給水手段の洗浄水が送給され、上記給水手段の洗浄水を上記第３の洗浄手段へ送出する状態と別給水路に洗浄水を送出する状態とに切替える前段２方切替えバルブと、上記別給水路から洗浄水が送給され、上記肛門洗浄手段に洗浄水を送出する状態と上記ビデ洗浄手段に洗浄水を送出する状態とに切替える後段２方切替えバルブとから構成されたことを特徴とする。
【００１１】
【作用及び効果】
請求項１の洗浄便座装置によれば、通常の肛門洗浄手段及びビデ洗浄手段以外に、痔患者用に水勢に関する洗浄水状態が上記肛門洗浄手段よりソフト状態に設定された第３の洗浄手段を設けたので、肛門洗浄手段、ビデ洗浄手段及び第３の洗浄手段のいずれか一つを選択操作するだけで、各使用者に適した洗浄手段が作動し、最適な洗浄水状態を選択して水洗浄を行うことができる。
しかも洗浄手段はシリンダ内の洗浄水を復帰スプリングの付勢力で温水タンクに戻す排水管とを有する。このため、シリンダ内の水を有効に回収できる。
【００１２】
請求項２の態様による洗浄便座装置によれば、一つの切替えバルブと洗浄手段とで構成でき、コンパクト化による収納性が良好となる。
請求項３の態様による洗浄便座装置によれば、肛門洗浄手段及びビデ洗浄手段を既設したものに、痔患者用の第３の洗浄手段を簡単に追加することができる。
【００１３】
【実施例】
以下、本発明に係る洗浄便座装置の一実施例を図１〜図４に基づいて具体的に説明する。
本実施例の洗浄便座装置は、図１に示すように、便器１の後部に設置された本体ケーシング２と、該本体ケーシング２によって便器１に対し傾立状態と重合状態とに変位自在に保持された便蓋３及び便座４とからなり、本体ケーシング２内には、水道等の給水手段６（図４参照）からの洗浄水を温水化して逐次貯留する温水タンク５と、該温水タンク５内の洗浄水を人体局部に向けて放水するための洗浄装置部７とが収納されている。
【００１４】
上記洗浄装置部７は、図２に示すように、肛門洗浄手段８と、ビデ洗浄手段９と、痔患者用の第３の洗浄手段１０とからなり、各洗浄手段８〜１０は、温水タンク５からの洗浄水が送給される３方切替えバルブ１１によって択一的に洗浄水を放出するようになっている。
肛門洗浄手段８、ビデ洗浄手段９及び第３の洗浄手段１０は、代表的に肛門洗浄手段で示す図３のように、上記３方切替えバルブ１１からの洗浄水が導入される入口８ａを有したシリンダ８１と、該シリンダ８１に内挿されたノズル８２とからなり、シリンダ８１とノズル８２との間にはノズル８２を退避方向へ付勢する復帰スプリング８３が装着されている。
【００１５】
ノズル８２の先端部にはノズル孔８４が形成され、ノズル８２はそのノズル孔８４側をシリンダ８１の一端より所定量突出させた目的位置とシリンダ８１内にほぼ収納された退避位置とに変位可能となっている。
ここで、痔患者用の第３の洗浄手段１０のノズル孔１０４は、図２に示すように、肛門洗浄手段８のノズル孔８４より洗浄水量が多くなるように開度が大きく設定され、かつ、水勢が弱くされている。
【００１６】
さて、図３において、ノズル８２の基端側には、弁体８５が収嵌され、該弁体８５は、上記復帰スプリング８３よりばね定数が大きい付勢スプリング８６によって常時は水路となる弁孔を閉じるように図上左方向に付勢されている。付勢スプリング８６のばね定数を復帰スプリング８３より大きくする理由は、洗浄水圧によってノズル８２の前進力を得ているため、ノズル８２が目的位置まで前進しない前に弁孔が開かないようにするためである。
【００１７】
なお、シリンダ８１には側口８ｂ形成され、該側口８ｂは、後述するように、目的位置のノズル８１を退避位置に戻すときにシリンダ８１内の洗浄水を３方切替えバルブ１１を介して温水タンク５に戻すようにしている。。
図３の構成は、ビデ洗浄手段９及び第３の洗浄手段１０についても基本的に同じである。
【００１８】
ところで、温水タンク５の出口には逆流を防止して給水手段６による一定水圧を保持するための圧力バルブ１２が設けられ、該圧力バルブ１２は給水管１３を介して３方切替えバルブ１１の主入口１１ａに接続される。
３方切替えバルブ１１は、上記主入口１１ａと、三つの出口１１ｂ〜１１ｄと、補助入口１１ｅとを有し、切替えと流量制御を兼ねた弁体である。出口１１ｂ〜１１ｄは、それぞれ給水管１４〜１６を介して第３の洗浄手段１０のシリンダ入口１０ａ、肛門洗浄手段８のシリンダ入口８ａ及びビデ洗浄手段９のシリンダ入口９ａに接続され、３方切替えバルブ１１の補助入口１１ｅは、図４に明示されるように、排水管１７を介して第３の洗浄手段１０の側口１０ｂ、肛門洗浄手段８の側口８ａ及びビデ洗浄手段９の側口９ｂに接続されている。これは、第３の洗浄手段１０のノズル１０２、肛門洗浄手段８のノズル８２及びビデ洗浄手段９のノズル９２のいずれか一つを退避位置に戻すときに各シリンダ１０１、８１及び９１内の洗浄水を３方切替えバルブ１１を介して温水タンク５に戻すためである。
【００１９】
具体的に、３方切替えバルブ１１は、固定ディスクと回転ディスクとステッピングモータとを主に構成され、ステッピングモータで回転ディスクを駆動して、固定ディスクに対する回転ディスクの回転位相を変化させることにより、各洗浄手段８〜１０への洗浄水の通路となる弁孔の開閉及び開度調整を可能としている。つまり、痔患者用の第３の洗浄手段１０も水量調整を可能となっている。
【００２０】
なお、各洗浄手段８〜１０は、ブラケット１８に固定されており、該ブラケット１８は本体ケーシング２に固定されている。
上記のように構成された洗浄便座装置では、例えば本体ケーシング２の操作部に設けられた洗浄ボタンの選択操作によって３方切替えバルブ１１が作動し、肛門洗浄手段８、ビデ洗浄手段９及び第３の洗浄手段１０のいずれか一つから洗浄水を放出させることができる。
【００２１】
従って、痔患者が使用する場合、第３の洗浄手段１０を選択操作することにより、ノズル１０２のノズル孔１０４より水量が多く水勢の弱い洗浄水が得られ、痔患者は、ソフト洗浄を享受することができる。
一方、一般者や女性では、これまで通り通常の肛門洗浄手段８又はビデ洗浄手段９を選択することができる。
【００２２】
かくして、本洗浄便座装置によれば、一般者と痔患者とで頻繁に水勢の調整を行う必要がなくなり、操作の煩わしさから開放される。
とりわけ、上記実施例では、３方切替えバルブ１１が３種類の各洗浄手段８〜１０に対応したものであり、コンパクト化が図れて本体ケーシング２への収納性も良好となる。
【００２３】
水勢を弱くする手段としては、上記ノズル孔８４の開度を広くすることによっても可能であるが、これ以外にノズル１０２の先端部分の内径を肛門洗浄手段８における内径より小さくすることによっても達成される。また、上記３方切替えバルブ１１によっても水勢を弱くすることができる。この場合、３方切替えバルブ１１が第３の洗浄手段１０に洗浄水を導水するときの弁孔径を、肛門洗浄手段８に洗浄水を導水するときの弁孔径より小さくすればよい。また、第３の洗浄手段１０と肛門洗浄手段８への送給水量が同じであっても、第３の洗浄手段１０に泡沫手段が付加される場合は、水勢を弱くする手段となる。
【００２４】
ところで、上記３種類の各洗浄手段８〜１０を備える場合、洗浄水の切替え水回路は、図５に示すように、温水タンク５からの洗浄水を第３の洗浄手段１０と下流の肛門洗浄手段８及びビデ洗浄手段９への給水管２１とに選択的に導水する前段２方切替えバルブ１９と、該給水管２の洗浄水を肛門洗浄手段８とビデ洗浄手段９とに選択的に導水する後段２方切替えバルブ２０とから構成することもできる。
【００２５】
このような構成によっても肛門洗浄手段８、ビデ洗浄手段９及び第３の洗浄手段１０へ選択的に洗浄水を給水することができる。
この二つの切替えバルブ１９，２０を用いる構成は、肛門洗浄手段８とビデ洗浄手段９をもつ既販品に対して既設のバルブや肛門洗浄手段８及びビデ洗浄手段９を無駄にすることなく、痔患者用の洗浄手段１０を追加することができる。即ち、温水タンク５と既設のバルブとの間の給水管に代えて切替えバルブ１９及び第３の洗浄手段１０からなるユニットを接続すればよい。
【図面の簡単な説明】
【図１】本発明の一実施例に係る洗浄便座装置の全容を示す斜視図である。
【図２】上記洗浄便座装置の洗浄装置部を詳細に示す示す平面図である。
【図３】上記洗浄便座装置の洗浄装置部における一つの機構を代表的に示す断面図である。
【図４】上記洗浄便座装置のブロック化して示す水回路図である。
【図５】本発明の他の実施例に係る洗浄便座装置をブロック化して示す水回路図である。
【符号の説明】
６は給水手段、８は肛門洗浄手段、９はビデ洗浄手段、１０は第３の洗浄手段、１１は３方切替えバルブであり、各図で共通の要素には同一の符号を付す。
【図１】
0003573299.tif 000002
【図２】
0003573299.tif 000003
【図３】
0003573299.tif 000004
【図４】
0003573299.tif 000005
【図５】
0003573299.tif 000006